(57)【要約】【課題】  ビデオカメラにおいて、トリガーミスによる地面撮りや撮影抜けをなくす。【解決手段】  撮影時および撮影待機時ともに、ビデオデータを常に記録媒体に記録し、媒体の空き容量を判断し、なくなったらすでに記録した撮影待機時のデータを順に消去または上書する。トリガーミス発覚時は、記録待機時の記録データをすべて保護する。または、トリガー前後およびトリガー間の有効性を再生して判断し、その結果を元にトリガーミス状況を判断し修正処理する。【選択図】        図１
2006060297.tif 000002
【特許請求の範囲】
【請求項１】
画像データを入力する入力手段と、
任意に記録開始及び記録停止を指示するトリガー手段と、
前記トリガー手段の指示に関わらず、ランダムアクセス可能な記録媒体の記録アドレスを繰り返し指定することにより、前記入力手段により入力された画像データを記録する記録手段と、
前記記録媒体に記録された動画データのうち、前記トリガー手段による連続した二つのトリガー間の動画データを単位として、前記動画データが記録されているアドレスに対する新たに入力される動画データの上書き記録を許可するか否かを決定し、前記上書き記録を許可した期間のアドレスに対して新たに前記動画データを記録するよう前記記録手段を制御する制御手段とを備えたことを特徴とする記録装置。
【請求項２】
前記トリガー手段の指示に応じた情報、前記トリガー手段による記録停止の指示から記録開始の指示までの間に前記記録媒体に記録された動画データの全記録時間、前記トリガー手段による記録開始の指示から記録停止の指示までの間に前記記録媒体に記録された全記録時間のいずれかを表示する表示手段を備えたことを特徴とする請求項１記載の記録装置。
【請求項３】
前記記録手段は前記記録媒体の最終アドレスまで前記動画データを記録すると、引き続き前記上書き記録が許可されている記録領域のうちの先頭アドレスより上書き記録を継続することを特徴とする請求項１記載の記録装置。
【請求項４】
前記最終アドレスまで動画データを記録後、記録を停止するか、あるいは、前記先頭アドレスより上書き記録を行うかを任意に選択可能としたことを特徴とする請求項３記載の記録装置。
【請求項５】
前記最終アドレスまで動画データを記録したことに応じて、その旨を警告することを特徴とする請求項４記載の記録装置。
【請求項６】
前記制御手段は更に、ミストリガーによる前記画像データの保護の指示に応じて、前記記録媒体において前記画像データが記録されている領域に対する上書き記録を禁止することを特徴とする請求項１記載の記録装置。
【請求項７】
前記記録媒体から前記画像データを再生する再生手段と、前記再生手段により再生された画像データに係る画像を表示する表示手段とを備え、
前記制御手段は、トリガー位置確認の指示に応じて、前記記録媒体に記録された画像データのうち、前記トリガー手段による指示があった部分の前後の画像データを再生するよう前記再生手段を制御すると共に、前記トリガー部分の画像データの再生に伴い入力された保存指示に応じて前記画像データの上書き記録を許可するか否かを決定することを特徴とする請求項１記載の記録装置。
【発明の詳細な説明】
【技術分野】
【０００１】
本発明は記録装置に関し、特に、光磁気ディスク、ハードディスク、メモリーカード等のランダムアクセス可能なメディアを記録媒体とするデジタルビデオカメラ等に用いて良好な画像記録装置に関する。
【背景技術】
【０００２】
ビデオカメラのユーザインターフェースにおいて、カメラ撮影を開始又は終了するときのキー操作は同一のプッシュボタン（以降トリガーと記す）で行うのが一般的である。動作としてはトグルタイプと押し続ける２つのタイプがある。トグルタイプは、記録可能な状態で電源を入れたとき記録待機となっており、トリガーを押す度に記録、記録待機を繰り返すというようなシステムである。一方押し続けるタイプは、押している間のみ記録を行うシステムである。また、トリガーを押し続けるタイプとトグルを切り替えることが可能なタイプの装置も知られている（特許文献１参照）。
【０００３】
ハンディタイプのビデオカメラでは、従来から現在にいたるまで、ほとんどこのどちらかのシステムとなっている。しかしながら、押し続けるタイプは長時間の撮影には向かないため、実際にはトグルタイプで撮影されることが多く、トグルタイプのみの製品も多い。
【０００４】
このようなビデオカメラでは、カメラ撮影時に記録中及び記録待機中のどちらの状態になっているのかは、ビューファインダや液晶パネルの情報表示に頼ることになる。また、撮影像の表示を可能な限り優先したいので、情報はなるべく小さく表示するため確認しづらい。このため、記録、記録待機を繰り返していると、例えば移動中に不用意にトリガーを押してしまい、記録、記録待機が反転してしまい、撮影者が撮影したかった動画像及び音声が記録されなかったというような誤記録問題（地面撮り問題ということもある）が発生する。
【０００５】
地面撮りについて図１１を用いてさらに説明する。図中横軸は時間を、斜線部は正常記録部を横線部は地面撮り部を白抜け部は記録抜け部を表している。正常な状態においては電源投入または撮影モード後は記録待機状態（ポーズまたは一時停止）となり、トリガー１が押されると記録状態となり記録が開始される。その後再度トリガー２が押されると記録待機状態になる。トリガー１とトリガー２の間の正常記録クリップ１１０１が記録媒体に記録される事になる。同様にトリガー３で記録状態にトリガー４で待機状態になりその間１１０２が記録媒体に記録される。
【０００６】
次にトリガーミスによる状況をＣａｓｅ１からＣａｓｅ４で説明する。Ｃａｓｅ１とＣａｓｅ２は、トリガーを誤って押してしまった場合、Ｃａｓｅ３とＣａｓｅ４はトリガーと押したつもりが押されてなかった場合の動作状況についてである。
【０００７】
Ｃａｓｅ１は記録待機状態でのミストリガーについてである。電源投入後、トリガー１で記録が開始されトリガー２で記録待機状態となり、その間１１０３が記録媒体に記録される。その後撮影者の意思に反したミストリガーにより記録状態になり、撮影者が記録を開始しようとしたトリガー３において、記録は停止し待機状態になる。その間が地面撮りクリップ１１０４で記録媒体に記録される事になる。本来撮影者はこの１１０４は撮影する意思の無かった不要なものである。撮影者は記録状態から待機状態へのためにトリガー４を操作するが、実際は待機状態の為にトリガー４では記録が開始される。このとき、撮影者は記録抜けクリップ１１０５を撮影したつもりであったが、操作ミスにより記録媒体には記録されないことになる。結果的に記録媒体への不要な記録が、カット１１０４と１１０６が発生し、本来記録しようとした記録抜けカット１１０５が発生する事になる。
【０００８】
Ｃａｓｅ２は記録状態でのミストリガーについてである。電源投入後、トリガー１で記録が開始されトリガー２で記録待機状態となり、その間１１０７が記録媒体に記録される。その後トリガー３により記録が開始されるが、撮影者の意思によならいミストリガーにより撮影状態から待機状態に推移する。その間の１１０８は記録媒体に記録される。撮影者は記録状態から待機状態へのためにトリガー４を操作するが、実際は待機状態の為にトリガー４では記録が開始される。このとき、撮影者は記録抜け１１０９を撮影したつもりであったが、操作ミスにより記録媒体には記録されないことになる。結果的に記録媒体への不要な記録が、カット１１１０が発生し、本来記録しようとした記録抜けカット１１０９が発生する事になる。
【０００９】
Ｃａｓｅ３は記録状態でのミストリガーについてである。電源投入後、トリガー１で記録が開始されトリガー２で記録待機状態とするはずであったが、トリガー２が押したつもりが押されてなくミストリガーとなり撮影が継続される。その間１１１１は記録媒体に記録され、さらに１１１２が記録されつづけ、撮影者が記録を開始しようとしたトリガー３において、記録は停止し待機状態になる。その間の１１１２が記録媒体に記録される事になる。本来撮影者はこの１１１２は撮影する意思の無かった不要なものである。撮影者は記録状態から待機状態へのためにトリガー４を操作するが、実際は待機状態の為にトリガー４では記録が開始される。このとき、撮影者は記録抜け１１１３を撮影したつもりであったが、操作ミスにより記録媒体には記録されないことになる。結果的に記録媒体への不要な記録としてカット１１１２、１１１４が発生し、本来記録しようとした記録抜けカット１１１３が発生する事になる。
【００１０】
Ｃａｓｅ４は記録待機状態でのミストリガーについてである。電源投入後、トリガー１で記録が開始されトリガー２で記録待機状態となり、その間１１１５が記録媒体に記録される。その後撮影者の意思により記録が開始されるはずであったが、トリガーを押したつもりが押されておらずミストリガーとなり、記録が開始せずそのまま待機状態を継続する。撮影者は記録状態から待機状態へのためにトリガー４を操作するが、実際は待機状態である為にトリガー４では記録が開始される。このとき、撮影者は記録抜け１１１６を撮影したつもりであったが、操作ミスにより記録媒体には記録されないことになる。結果的に記録媒体へ本来記録しようとした記録抜けカット１１１６、不要なカット１１１７が発生する事になる。
【００１１】
このような問題を回避するべく、例えば、カメラの姿勢を検出し、例えばカメラが下を向いていたら地面撮りと判断し、撮影を中止するという提案がなされている（特許文献２参照）。
【００１２】
一方、最近では、ビデオの記録媒体としてハードディスク及び光磁気ディスク等のテープ以外の記録媒体が採用され始めている。これらはランダムアクセスが可能であり、記録した動画像の中から不要な部分を消去するなどの作業が、テープに比べはるかに簡単である。また記録容量も日々大容量化している（特許文献３参照）。
【特許文献１】特開平５−４８９４３号公報
【特許文献２】特開平５−１８３７９５号公報
【特許文献３】特開２００３−３２６０７号公報
【発明の開示】
【発明が解決しようとする課題】
【００１３】
しかし、従来例は、地面撮り問題を確実に防止できるものではない。
【００１４】
本発明は、従来例で述べたようなカメラ撮影の誤記録問題を、ランダムアクセス可能な記録媒体の特徴を生かして解決することのできる記録装置を提供すること目的とするものである。
【課題を解決するための手段】
【００１５】
上記問題点を解決するために、本発明は、画像データを入力する入力手段と、任意に記録開始及び記録停止を指示するトリガー手段と、前記トリガー手段の指示に関わらず、ランダムアクセス可能な記録媒体の記録アドレスを繰り返し指定することにより、前記入力手段により入力された画像データを記録する記録手段と、前記記録媒体に記録された動画データのうち、前記トリガー手段による連続した二つのトリガー間の動画データを単位として、前記動画データが記録されているアドレスに対する新たに入力される動画データの上書き記録を許可するか否かを決定し、前記上書き記録を許可した期間のアドレスに対して新たに前記動画データを記録するよう前記記録手段を制御する制御手段とを備える。
【発明の効果】
【００１６】
本発明によれば、トリガー操作の誤りによって生じる地面撮り問題が発生しても容易に修正することがに可能となる。
【発明を実施するための最良の形態】
【００１７】
以下に本発明を実施するための最良の形態を実施例に基づいて説明する。
【実施例】
【００１８】
（第１実施例）
図１２は本発明を適用したビデオカメラの構成を示す図である。
【００１９】
図１２において、１２０１は撮像部、１２０２は撮像部１２０１から出力された動画データを符号化すると共に、記録再生部１２０３から出力された動画データを復号する信号処理部、１２０３は符号化された動画データを記録媒体１２０４に記録すると共に、記録媒体１２０４から動画データを再生して出力する記録再生部、１２０４は光ディスクなどのランダムアクセス可能な記録媒体、１２０５は撮影時においては信号処理部１２０２を介して撮像部１２０１から供給される動画を表示し、再生時においては信号処理部１２０２を介して記録再生部１２０３から出力された画像を表示する表示部、１２０６は制御部、１２０７は電源スイッチや記録トリガースイッチなど、各種のスイッチを備えた操作部である。
【００２０】
以下に説明する各実施例の動作は、操作部１２０７の指示を受けた制御部１２０６が記録再生部１２０３による記録動作を制御することにより実現する。
【００２１】
図１は、本発明の第１実施例により記録媒体上に記録されるデータの様子を示す図である。
【００２２】
横軸は時間および記録媒体上の記録状態を示している。図中斜め線部は記録一巡目を横線部は記録２巡目を縦線部は記録３巡目を点線部は記録待機時のバックアップ部を示している。
【００２３】
最初に、記録媒体初期に図１段目の１ｓｔで示す動作を行う。電源投入または撮影モード移行時に本来は記録待機状態であるが、本実施例では記録媒体への記録をバックアップのクリップとして開始する。図中１０１。撮影者の意思によりトリガー１で別クリップとして記録開始される。この動作は通常の撮影開始と同様である。その後撮影終了のトリガー２が押され記録クリップ１０２が作成される。同時にバックアップクリップ１０３が開始される。従来であれば撮影待機状態である。以下同様に撮影者の意思によりトリガー３で別クリップとして記録開始される。その後撮影終了のトリガー４が押され記録クリップ１０４が作成される。同時にバックアップクリップ１０５が開始される。
【００２４】
この時、図中記録媒体が一杯となるため、図中２段目の２ｎｄ動作に推移する。２ｎｄの動作は、記録媒体の空き容量がない為、それまでにバックアップとして記録してきたクリップを時間的に古い順に選択し、そのクリップを消去もしくはオーバーライト可能として新たな記録を行う。図中１０６は１０５に続くバックアップクリップであるが、これはバックアップクリップ１０１を消去またはオーバーライトして新たに記録している。トリガー５により、それまでのバックアップクリップ１０６を終了し記録クリップ１０７を開始する。クリップ１０７はクリップ１０１の容量分を使い切ると次のバックアップクリップ１０３を消去またはオーバーライトして記録を続ける。トリガー６により記録が終ると記録クリップ１０８を終了させ、バックアップクリップ１０９を開始する。バックアップクリップ１０３の容量を使い切ると同じくバックアップクリップ１０５を削除またはオーバーライトしてバックアップクリップ１１０を記録する。ここでトリガー７が押されるとバックアップクリップ１１０を閉じて記録クリップ１１１を開始する。記録クリップ１１１がバックアップクリップ１０５の容量を使い切ると、次のバックアップクリップ１０６を消去またはオーバーライトして記録クリップ１１２を記録する。さらに同様に記録クリップ１１２を閉じてバックアップクリップ１０９を削除またはオーバーライトして記録クリップ１１３を記録し、さらに同様に記録クリップ１１３を閉じてバックアップクリップ１１０を削除またはオーバーライトして記録クリップ１１４を記録する。以上の動作で記録媒体はフルとなり、その旨撮影者に表示し、停止する。
【００２５】
一連の動作により、本来記録待機状態の画像をも記録媒体の許す限り記録して保持することが可能となり、撮影途中で、トリガーミスによる地面撮りに気づいた場合にも修復できる可能性を大きくすることが可能となる。
【００２６】
図２は、６０分の記録媒体に１０分記録２０分待機を繰り返した場合の、バックアップ時間の推移を示した図である。撮影開始から６０分までは、図１の１ｓｔに相当し、それまでのすべてを記録している。撮影２０分に対しバックアップ４０分記録している。その後、バックアップ時間は撮影時間に用いられ徐々にバックアップ時間が減少する。が１５０分経過した時点でも１０分のバックアップが確保されているのが分る。
【００２７】
本実施例では、記録待機時も常に記録しているが、予め設定された所定時間記録し、その後は待機状態となる様に動作しても良い。この場合は、バックアップによる修復性能は低下するが、その分消費電力等を抑制できる。また、停止時に警告音等を発することで撮影者にトリガー状態の確認を促す効果が得られる。
【００２８】
図３は実施例１をフローチャートでその動作を示したものである。
【００２９】
ステップ３０１（Ｓ３０１）はスタート、ステップ３０２（Ｓ３０２）は撮影モードの判断であり撮影モードでない場合は繰り返す。撮影モードの時は次のステップ３０３（Ｓ３０３）に進む。ステップ３０３はバックアップ記録開始であり、バックアップクリップを開始し次ぎのステップ３０４（Ｓ３０４）に進む。ステップ３０４は、撮影者がトリガーを押したかどうかの判断である。押していればステップ３０５へ、押していなければステップ３１０（Ｓ３１０）へ進む。
【００３０】
押した場合のステップ３０５（Ｓ３０５）では、現在記録モードであるか判断し、記録モードであればステップ３０８（Ｓ３０８）へ、そうでなければステップ３０６（Ｓ３０６）へ進む。
【００３１】
ステップ３０８では、記録状態でトリガーが押された場合なので、それまで記録している記録クリップを終了し記録媒体に保存し、次のステップ３０９（Ｓ３０９）に進む。ステップ３０９では、待機状態となったのでバックアップクリップの記録を開始し、ステップ３１０へ進む。
【００３２】
一方、ステップ３０５において、記録モードでなかった場合はステップ３０６に進み、記録を開始するために、バックアップクリップを終了保存し、ステップ３０７（Ｓ３０７）へ進む。
【００３３】
ステップ３０７では、記録クリップを開始し、ステップ３１０へ進む。
【００３４】
ステップ３１０では、記録媒体の残量を検出判断し、バックアップクリップも含めた残量が所定値以下であったらステップ３１１（Ｓ３１１）へ、そうでなければステップ３１４へ進む。
【００３５】
ステップ３１１では、すでに記録したバックアップクリップの有無を判断し、有ればステップ３１２へ、無ければ記録媒体が記録クリップで一杯であるので、その処理ステップ３１５へ進む。
【００３６】
ステップ３１２（Ｓ３１２）では、バックアップクリップの中から削除候補のクリップを選択しステップ３１３（Ｓ３１３）へ進む。古いクリップ順に選択するのが一般的であるが、その重要度情報を有する場合はそれに従って判断する。ステップ３１３では選択されたクリップを削除またはオーバーライト可能な処理をし、ステップ３１４（Ｓ３１４）へ進む。
【００３７】
ステップ３１４は撮影モードの判断であり、撮影モードで無くなった場合はステップ３１５（Ｓ３１５）に進み、そうでなければステップ３０４に戻り、処理フローを繰り返す。
【００３８】
ステップ３１５は撮影モードで無くなったか、記録媒体が一杯になったかどちらかであり、その為にそれまで記録またはバックアップしているクリップを終了保存し終了ステップ３１６（Ｓ３１６）へ進み終了する。
【００３９】
以上のフロー処理により、撮影モード移行時は、撮影者の記録と記録待機を指示するトリガーによらず、記録媒体にビデオデータを記録することで、トリガーの操作ミスによる誤記録を修復処理することが容易に可能となる。
【００４０】
また、バックアップとしての記録媒体への記録時は、撮影者トリガー指示による記録時とその記録方法や符号化方式や圧縮率や記録レート等を変えることで、修復画質とバックアップ性能のトレードオフによる最適化を図る事も可能である。
【００４１】
（実施例２）
図４には、実施例１の撮影途中でミストリガーに気付いた場合の対応処理の実施例を示す。
【００４２】
図中、従来例と同一の部分については番号を同一とし説明を省略する。クロスハッチ部は保存部を斜線部は正常記録部を横線部は地面撮り部を示す。
【００４３】
この実施例は、ミストリガーによる損失を最小限に抑えるべく、さらにその修正処理を時間を置いて後で処理するか、またはそのまま不要なバックアップクリップもすべて保存する処理である。
【００４４】
図中Ｃａｓｅ１において、クリップ４０１、４０２、４０３は実施例１の処理途中ではバックアップクリップであるが、そのバックアップクリップすべてを保存または削除・オーバーライト対象がから除外する処理をする。この処理により、本来の記録抜けクリップ４０３を保存することが可能となる。後で修正する場合は、再生確認して、記録抜けクリップ４０３を記録クリップとして復帰させ、さらに不要なクリップ４０１、４０２および１１０４、１１０６を削除・オーバーライト候補とする。
【００４５】
同様に、図中Ｃａｓｅ２においては、クリップ４０４、４０５、４０６はバックアップクリップであるが、そのバックアップクリップすべてを保存または削除・オーバーライト対象がから除外する処理をする。この処理により、本来の記録抜けクリップ４０６を保存することが可能となる。後で修正する場合は、再生確認して、記録抜けクリップ４０６を記録クリップとして復帰させ、さらに不要なクリップ４０４、４０５および１１１０を削除・オーバーライト候補とする。
【００４６】
同様に、図中Ｃａｓｅ３においては、クリップ４０７、４０８はバックアップクリップであるが、そのバックアップクリップすべてを保存または削除・オーバーライト対象がから除外する処理をする。この処理により、本来の記録抜けクリップ４０８を保存することが可能となる。後で修正する場合は、再生確認して、記録抜けクリップ４０８を記録クリップとして復帰させ、さらに不要なクリップ４０７および１１１２、１１１４を削除・オーバーライト候補とする。
【００４７】
同様に、図中Ｃａｓｅ４においては、クリップ４０９、４１０、４１１はバックアップクリップであるが、そのバックアップクリップすべてを保存または削除・オーバーライト対象から除外する処理をする。この処理により、本来の記録抜けクリップ４１１を保存することが可能となる。後で修正する場合は、再生確認して、記録抜けクリップ４１１を記録クリップとして復帰させ、さらに不要なクリップ４０９、４１０および１１１７を削除・オーバーライト候補とする。
【００４８】
以上の処理により、本来トリガーミスによる地面撮りでの記録抜けクリップを保存することが可能となり、大きな効果が得られる。
【００４９】
（実施例３）
図５に、実施例１にて、撮影途中でミストリガーに気付いた場合の対応処理の他の実施例を示す。
【００５０】
図中、従来例と同一の部分については番号を同一として説明を省略する。
【００５１】
この実施例は、ミストリガーの状況を検出する手法とそれぞれの状況に対応した処理方法についてである。
【００５２】
まず、撮影者はミストリガーの対処としてそれまでに撮影したクリップのトリガー点前後を再生して、その再生画像または音声が正常記録部か不要部か有効性を判断する。トリガー点は、装置が確認可能であるのでその情報を保持またはファイル等に記録しておいても良い。トリガー点前後は装置がその情報から自動で再生する機能を有しても良いし、表示機等のＧＵＩによりユーザーが指定して再生しても良い。有効である正常記録部は「○」、不要部は「×」としてミストリガーの各状況での結果を図５中５０１から５０５に示す。隣接するトリガー間とその前後の「○」「×」の特徴を図中５０６から５１１に示している。
【００５３】
トリガーミスの状況と場所を判断するためには隣接するトリガー間とその前後の有効性を見ることで判断できる。正常な場合を５０６と５０７に示す。トリガーとトリガーの間が「○」または「×」で変化が無く、トリガーの前後で「○」と「×」が反転している場合は正常な動作である。
【００５４】
Ｃａｓｅ１とＣａｓｅ２の様に、不要なトリガーが押された場合はトリガーの前後の反転が生じない。これは、撮影者がトリガーを押す意思が無かったので、当然そのトリガー点前後に変化は無い事となる。
【００５５】
Ｃａｓｅ１の場合は地面撮りクリップ１１０４の開始点トリガーの前後が５０２で分るように「×」と「×」で変化が無くそれに当る。その特徴を５０８に示す。トリガー前後で「×」のまま変化が無くこの現状の場合は、意思に反してトリガーが押され、さらに記録待機時に記録開始トリガーミスが発生した事を意味する。
【００５６】
この場合の対処法は、トリガーミス点以降のトリガーによる論理を逆転すれば良い。つまり、記録クリップはバックアップクリップに、バックアップクリップは記録クリップにすれば正常撮影状態に修正することが可能となる。この時バックアップクリップは修正を終えているので削除またはその対象としても良い。
【００５７】
Ｃａｓｅ２の場合は記録抜けクリップ１１０９の開始点トリガーの前後が５０３で分るように「○」と「○」で変化が無く同様にそれに当る。その特徴を５０９に示す。トリガー前後で「○」のまま変化が無くこの現状の場合は、意思に反してトリガーが押され、さらに記録時に記録待機トリガーミスが発生した事を意味する。
【００５８】
この場合の対処法は、トリガーミス点以降のトリガーによる論理を逆転すれば良い。つまり、記録クリップはバックアップクリップに、バックアップクリップは記録クリップにすれば正常撮影状態に修正することが可能となる。この時バックアップクリップは修正を終えているので削除またはその対象としても良い。また、トリガーミス前後は記録クリップとして２つのクリップになってしまうが、必要であればこれを１つのクリップにまとめても良い。
【００５９】
次にＣａｓｅ３とＣａｓｅ４の様に、撮影者がトリガーを押したつもりが、押されてなかった場合は、トリガーとトリガーの間で「○」と「×」の反転を生じる。これは、撮影者が押したはずのトリガーを装置が認識していないので動作を次のトリガーまで継続してしまう事となる。
【００６０】
この場合の対処法は、トリガーミス点がトリガー間のどこに当るか不明なので、そのトリガー点を見つけての処理と、トリガーミス点を見つけず不要な部分を含んだままでクリップ単位での処理方法がある。
【００６１】
前者の場合は、そのトリガーミスがあるクリップ内を再生しそのトリガーミス点を検出する。これは前述の様に、装置がそのモードになった場合に自動的に再生またはサーチモードになり、撮影者にその動作を促しても良いし、またＧＵＩ等により撮影者が操作しても良い。トリガーミス点が検出されたら、その点をトリガー点として装置に入力しクリップを分割する。そしてそれ以降のトリガーによる論理を逆転すれば良い。つまり、記録クリップはバックアップクリップに、バックアップクリップは記録クリップにすれば正常撮影状態に修正することが可能となる。この時バックアップクリップは修正を終えているので削除またはその対象としても良い。
【００６２】
後者の場合は、トリガーミスを含むクリップについては、本来不要となる部分を含んでいるが、そのまま記録クリップとして保存し、必要であれば後でそのクリップ内を再処理可能な様にマーカーを付け、それ以降のクリップはトリガーによる論理を逆転すれば良い。つまり、記録クリップはバックアップクリップに、バックアップクリップは記録クリップにすれば以降のクリップは正常撮影状態に修正することが可能となる。この時バックアップクリップは修正を終えているので削除またはその対象としても良い。
【００６３】
Ｃａｓｅ３の場合はトリガー１とトリガー３の間が５０４で分るように「○」と「×」で変化が有る。その特徴を５１０に示す。トリガー間で「○」「×」順の変化がありこの場合は、押したつもりのトリガーが押されておらず、さらに記録時に記録待機トリガーミスが発生した事を意味する。従ってクリップ前半は記録クリップ、後半は不要となるクリップとなる。
【００６４】
Ｃａｓｅ４の場合はトリガー２とトリガー４の間が５０５で分るように「×」と「○」で変化が有りそれに当る。その特徴を５１１に示す。トリガー間で「×」「○」順の変化がありこの場合は、押したつもりのトリガーが押されておらず、さらに記録待機時に記録開始トリガーミスが発生した事を意味する。従ってクリップ前半は不要となるクリップ、後半は記録クリップとなる。
【００６５】
トリガーの論理の逆転処理等は装置が自動で行っても、操作者が行ってもどちらでも良い。
【００６６】
図６は、実施例２と実施例３の動作をまとめて一連の動作を示したフローチャートである。
【００６７】
ステップ６０１（Ｓ６０１）はスタート、ステップ６０２（Ｓ６０２）は、一括消去保護するかどうかを判断するステップであり、「Ｙｅｓ」であればステップ６０３へ、「Ｎｏ」であればステップ６０４へ進む。
【００６８】
ステップ６０３（Ｓ６０３）では、一括消去保護処理を行うステップで、記録媒体内のバックアップクリップをすべて記録クリップに変更する。この時、変更したクリップにマーカー等を付加することで、後にさらに詳細な修正を行うことが可能となるが必須ではない。一括処理後はステップ６１４（Ｓ６１４）へ進み終了する。
【００６９】
一方、ステップ６０４（Ｓ６０４）へ進んだ場合は、トリガー履歴前後を順に再生しその画像の有効性を判断する。ステップ６０５（Ｓ６０５）に進む。ステップ６０５では判断した判定結果に基づきトリガー前後が同じかどうかを判定し、「Ｙｅｓ」であればステップ６０６（Ｓ６０６）へ進む。「Ｎｏ」であればステップ６０９（Ｓ６０９）進む。
【００７０】
「Ｙｅｓ」の場合トリガー前後が同じであり、そのトリガーは撮影者の意思に反して装置が認識した不要なトリガーとなる。そしてステップ６０６ではそのトリガー前後の判定が共に有効である「○」であるかを判定する。「Ｙｅｓ」であればステップ６０７（Ｓ６０７）へ進む。「Ｎｏ」であればステップ６０８（Ｓ６０８）へ進む。
【００７１】
ステップ６０７では、トリガー前後が「○」であるので、このトリガーは記録中に誤って押されたトリガーでその事により装置は記録待機になった事になりその対応処理となる。図５のＣａｓｅ２の５０９に相当する。
【００７２】
その処理内容を図８のフローチャートに示す。ステップ６０７で開始し、ステップ８０１（Ｓ８０１）を処理する。ステップ８０１では、異常検出トリガー以降のトリガー論理を逆にする。つまり、記録クリップはバックアップクリップに、バックアップクリップは記録クリップにする。前のクリップは記録クリップであるので記録クリップが連続するが、必要であればここで１つのクリップにまとめても良い。この処理により以降のクリップは正常撮影状態に修正することが可能となる。この時バックアップクリップは修正を終えているので削除またはその対象としても良い。次のステップ８０２（Ｓ８０２）で処理を終了して戻る。
【００７３】
図６、ステップ６０７からステップ６１４へ進み終了する。
【００７４】
一方、ステップ６０８では、トリガー前後が「×」であるので、このトリガーは記録待機中に誤って押されたトリガーでその事により装置は記録状態になった事になりその対応処理となる。図５のＣａｓｅ１の５０８に相当する。
【００７５】
その処理内容を図７のフローチャートに示す。ステップ６０８で開始し、ステップ７０１（Ｓ７０１）を処理する。ステップ７０１では、異常検出トリガー以降のトリガー論理を逆にする。
【００７６】
つまり、記録クリップはバックアップクリップに、バックアップクリップは記録クリップにする。この処理により以降のクリップは正常撮影状態に修正することが可能となる。この時バックアップクリップは修正を終えているので削除またはその対象としても良い。次のステップ７０２（Ｓ７０２）で処理を終了して戻る。
【００７７】
図６、ステップ６０８からステップ６１４へ進み終了する。
【００７８】
ステップ６０５の判定が「Ｎｏ」の場合は、トリガー前後で判定が異なっておりトリガー動作は正常となる。ステップ６０９では時間的に古い次のトリガーの判定結果を参照し、トリガーとトリガーと間の判定が異なるかを判断する。「Ｙｅｓ」であればステップ６１０（Ｓ６１０）へ進む。「Ｎｏ」であれば、ステップ６１３（Ｓ６１３）へ進む。
【００７９】
「Ｙｅｓ」の場合はトリガーとトリガーの間で判定が異なっていることになるので、その間に撮影者の意思に反してトリガーが抜けていることになる。そしてステップ６１０ではそのトリガー間の判定が時間順に「○」「×」であるかを判定する。「Ｙｅｓ」であればステップ６１１（Ｓ６１１）へ進む。「Ｎｏ」であればステップ６１２（Ｓ６１２）へ進む。
【００８０】
ステップ６１１では、トリガー間が時間順に「○」「×」であるので、これは記録中に記録待機トリガーが認識されなかった事になりその対応処理となる。図５のＣａｓｅ３の５１０に相当する。
【００８１】
その処理内容を図９のフローチャートに示す。ステップ６１１で開始し、ステップ９０１（Ｓ９０１）へ進む。ステップ９０１では、ミストリガーの位置を検出し編集するかどうかの判断をする。「Ｙｅｓ」で編集する場合はステップ９０４（Ｓ９０４）へ進む。「Ｎｏ」の場合はステップ９０２（Ｓ９０２）へ進む。
【００８２】
ステップ９０４では、トリガー間のクリップを再生し、抜けているトリガー位置を検出しステップ９０５（Ｓ９０５）に進む。ステップ９０５では、検出したトリガー点でクリップを分割して分割した後半クリップをバックアップクリップにしステップ９０３（Ｓ９０３）へ進む。ステップ９０３ではそれ以降のトリガー論理を逆にする。
【００８３】
つまり、記録クリップはバックアップクリップに、バックアップクリップは記録クリップにする。この処理により以降のクリップは正常撮影状態に修正することが可能となる。この時バックアップクリップは修正を終えているので削除またはその対象としても良い。次のステップ９０６（Ｓ９０６）で処理を終了して戻る。
【００８４】
ステップ９０１で「Ｎｏ」の場合は、トリガー間の記録クリップ後半に不要な記録像が含まれているが、そのクリップをそのままに保存する処理となる。ステップ９０２では、後で編集修正可能な様に、異常のあったクリップにマーカーを付加しステップ９０３へ進む。このマーカーは必須ではないが、付加されていると後処理で有効である。ステップ９０３では前述の同様に処理し、ステップ９０６で処理を終了して戻る。
【００８５】
図６、ステップ６１１からステップ６１４へ進み終了する。
【００８６】
一方、ステップ６１２では、トリガー間が時間順に「×」「○」であるので、これは記録待機中に記録トリガーが認識されなかった事になりその対応処理となる。図５のＣａｓｅ４の５１１に相当する。
【００８７】
その処理内容を図１０のフローチャートに示す。ステップ６１２で開始し、ステップ１００１（Ｓ１００１）へ進む。ステップ１００１では、ミストリガーの位置を検出し編集するかどうかの判断をする。「Ｙｅｓ」で編集する場合はステップ１００４（Ｓ１００４）へ進む。位置検出しない「Ｎｏ」の場合はステップ１００２（Ｓ１００２）へ進む。
【００８８】
ステップ１００４では、トリガー間のクリップを再生し、抜けているトリガー位置を検出しステップ１００５（Ｓ１００５）に進む。ステップ１００５では、検出したトリガー点でクリップを分割して分割した後半クリップを記録クリップにしステップ１００３（Ｓ１００３）へ進む。ステップ１００３ではそれ以降のトリガー論理を逆にする。
【００８９】
つまり、記録クリップはバックアップクリップに、バックアップクリップは記録クリップにする。この処理により以降のクリップは正常撮影状態に修正することが可能となる。この時バックアップクリップは修正を終えているので削除またはその対象としても良い。次のステップ１００６（Ｓ１００６）で処理を終了して戻る。
【００９０】
ステップ１００１で「Ｎｏ」の場合は、トリガー間の記録クリップ前半に不要な記録像が含まれているが、そのクリップをそのままに保存する処理となる。ステップ１００２では、クリップを記録クリップに変更し、後で編集修正可能な様にクリップにマーカーを付加しステップ１００３へ進む。このマーカーは必須ではないが、付加されていると便利である。ステップ１００３では前述の同様に処理し、ステップ１００６で処理を終了して戻る。
【００９１】
図６、ステップ６１２からステップ６１４へ進み終了する。
【００９２】
ステップ６０９でのトリガー間の判定が「Ｎｏ」の場合は、正常な撮影状態であるので、ステップ６１３（Ｓ６１３）へ進む。ステップ６１３では、次のトリガー点の有無を判断し、トリガー点が終了であればステップ６１４へ進み終了する。そうでなければ、ステップ６０４へ戻り、次のトリガー点について同様に処理する。
【００９３】
以上の一連の動作により、トリガーミスが発生しても、記録媒体の空きエリアを有効に活用する本手法により、そのトリガーミスの状態を判断可能としてさらにそれらに応じた修正処理を適応することで、被害を完全に修正または最小限に抑えることが容易に可能となる。
【００９４】
フローの処理は装置が自動で処理し、撮影者に判断を促してもよいし、装置はその状況を撮影者に表示し最適な処理を提示アドバイスしても良い。
【図面の簡単な説明】
【００９５】
【図１】本発明の第１の実施例を説明する図
【図２】本発明の第１の実施例を説明するグラフ
【図３】本発明の第１の実施例のフローを説明するフローチャート
【図４】本発明の第２の実施例を説明する図
【図５】本発明の第３の実施例を説明する図
【図６】本発明の実施例のフローチャート
【図７】本発明の実施例のフローチャート
【図８】本発明の実施例のフローチャート
【図９】本発明の実施例のフローチャート
【図１０】本発明の実施例のフローチャート
【図１１】従来例の動作を説明する図
【図１２】本発明を適用したビデオカメラの構成を示す図
【符号の説明】
【００９６】
１２０１  撮像部
１２０２  信号処理部
１２０３  記録際西部
１２０４  記録媒体
１２０５  表示部
１２０６  制御部
１２０７  操作部
【図１】
2006060297.tif 000003
【図３】
2006060297.tif 000004
【図４】
2006060297.tif 000005
【図５】
2006060297.tif 000006
【図６】
2006060297.tif 000007
【図７】
2006060297.tif 000008
【図８】
2006060297.tif 000009
【図９】
2006060297.tif 000010
【図１０】
2006060297.tif 000011
【図１１】
2006060297.tif 000012
【図１２】
2006060297.tif 000013
【図２】
2006060297.tif 000014